(57)【要約】【課題】複数のセンサのそれぞれに関する情報を容易に認識させる技術を提供する。【解決手段】入力部５４０は、複数のセンサのそれぞれに関する情報を受けつける。表示制御部５４２は、入力部５４０において受けつけた複数の情報のうち、１つ以上の情報が所定の条件を満たす場合に、１つ以上の情報のそれぞれに対して、所定の条件を満たすことを知らせるための第１通知を表示部５１８の第１領域に表示させるとともに、所定の条件を満たす情報の存在を知らせるための第２通知を表示部５１８の第２領域であって、かつ第１領域とは異なった第２領域に表示させる。【選択図】図１
2020201594.tif 000002
【特許請求の範囲】
【請求項１】
施設に複数のセンサが設置されており、前記複数のセンサのそれぞれに関する情報を受けつける入力部と、
前記入力部において受けつけた複数の前記情報のうち、１つ以上の前記情報が所定の条件を満たす場合に、前記１つ以上の前記情報のそれぞれに対して、前記所定の条件を満たすことを知らせるための第１通知を表示部の第１領域に表示させるとともに、前記所定の条件を満たす前記情報の存在を知らせるための第２通知を前記表示部の第２領域であって、かつ前記第１領域とは異なった第２領域に表示させる表示制御部と、
を備える表示装置。
【請求項２】
前記入力部は、前記情報として、前記複数のセンサのそれぞれにおける電池残量を受けつけ、
前記表示制御部は、１つ以上の前記電池残量がしきい値よりも少ない場合に、前記１つ以上の前記電池残量のそれぞれに対して、前記電池残量がしきい値よりも少ないことを知らせるための前記第１通知を前記第１領域に表示させるとともに、しきい値よりも少ない前記電池残量の存在を知らせるための前記第２通知を前記第２領域に表示させる、
請求項１に記載の表示装置。
【請求項３】
前記入力部は、前記情報として、前記複数のセンサのそれぞれにおける発報情報を受けつけ、
前記表示制御部は、１つ以上の前記発報情報を受けつけた場合に、前記１つ以上の前記発報情報のそれぞれに対して、前記発報情報を受けつけたことを知らせるための前記第１通知を前記第１領域に表示させるとともに、前記発報情報の存在を知らせるための前記第２通知を前記第２領域に表示させる、
請求項１または２に記載の表示装置。
【請求項４】
前記入力部において受けつけられる前記発報情報は、発報の日時情報を含む、
請求項３に記載の表示装置。
【請求項５】
前記複数のセンサのうちの一部は第１グループに含まれ、前記複数のセンサのうちの別の一部は第２グループに含まれ、
前記表示制御部は、前記第１グループの複数の前記情報のうち、１つ以上の前記情報が前記所定の条件を満たす場合に、前記１つ以上の前記情報のそれぞれに対して、前記第１通知を前記第１領域の第１部分に表示させるとともに、前記第２通知を前記第２領域の第１部分に表示させ、
前記表示制御部は、前記第２グループの複数の前記情報のうち、１つ以上の前記情報が前記所定の条件を満たす場合に、前記１つ以上の前記情報のそれぞれに対して、前記第１通知を前記第１領域の第２部分に表示させるとともに、前記第２通知を前記第２領域の第２部分に表示させる、
請求項１から４のいずれか１項に記載の表示装置。
【請求項６】
前記第２領域の第１部分と、前記第２領域の第２部分は、同一の画面に含まれ、
前記第１領域の第１部分と、前記第１領域の第２部分と、前記第２領域は、互いに異なった画面に含まれ、
前記第２領域が含まれた画面から、前記第１領域の第１部分が含まれた画面に遷移可能であり、
前記第２領域が含まれた画面から、前記第１領域の第２部分が含まれた画面に遷移可能である、
請求項５に記載の表示装置。
【請求項７】
前記第１グループに含まれる前記一部のセンサのうちの１つが第１代表のセンサであり、前記第１グループに含まれる前記一部のセンサのうちの残りは、前記第１代表のセンサを介して本表示装置と通信し、
前記第２グループに含まれる前記一部のセンサのうちの１つが第２代表のセンサであり、前記第２グループに含まれる前記一部のセンサのうちの残りは、前記第２代表のセンサを介して本表示装置と通信し、
前記表示制御部は、前記第１代表のセンサとの通信が不可能である場合に、通信が不可能であることを前記表示部に表示させ、
前記表示制御部は、前記第２代表のセンサとの通信が不可能である場合に、通信が不可能であることを前記表示部に表示させる、
請求項５または６に記載の表示装置。
【請求項８】
施設に複数のセンサが設置されており、前記複数のセンサのそれぞれに関する情報を受けつけるステップと、
受けつけた複数の前記情報のうち、１つ以上の前記情報が所定の条件を満たす場合に、前記１つ以上の前記情報のそれぞれに対して、前記所定の条件を満たすことを知らせるための第１通知を表示部の第１領域に表示させるとともに、前記所定の条件を満たす前記情報の存在を知らせるための第２通知を前記表示部の第２領域であって、かつ前記第１領域とは異なった第２領域に表示させるステップと、
をコンピュータに実行させるためのプログラム。
【発明の詳細な説明】
【技術分野】
【０００１】
本開示は、表示技術に関し、特に情報を表示する表示装置およびプログラムに関する。
【背景技術】
【０００２】
建物等の施設には火災警報器が設置されており、火災警報器は、火災を感知すると、火災信号をサーバに送信する。携帯端末装置は、サーバとの通信を実行し、火災についての支援情報を表示する（例えば、特許文献１参照）。
【先行技術文献】
【特許文献】
【０００３】
【特許文献１】特許第６２４０７４４号公報
【発明の概要】
【発明が解決しようとする課題】
【０００４】
施設において、火災警報器のようなセンサが複数設置されている場合、複数のセンサのそれぞれに関する情報をまとめて表示させる場合、センサの数が増えるほど情報を認識しにくくなる可能性がある。
【０００５】
本開示はこうした状況に鑑みなされたものであり、その目的は、複数のセンサのそれぞれに関する情報を容易に認識させる技術を提供することにある。
【課題を解決するための手段】
【０００６】
上記課題を解決するために、本開示のある態様の表示装置は、施設に複数のセンサが設置されており、複数のセンサのそれぞれに関する情報を受けつける入力部と、入力部において受けつけた複数の情報のうち、１つ以上の情報が所定の条件を満たす場合に、１つ以上の情報のそれぞれに対して、所定の条件を満たすことを知らせるための第１通知を表示部の第１領域に表示させるとともに、所定の条件を満たす情報の存在を知らせるための第２通知を表示部の第２領域であって、かつ第１領域とは異なった第２領域に表示させる表示制御部と、を備える。
【０００７】
なお、以上の構成要素の任意の組合せ、本開示の表現を方法、装置、システム、コンピュータプログラム、またはコンピュータプログラムを記録した記録媒体などの間で変換したものもまた、本開示の態様として有効である。
【発明の効果】
【０００８】
本開示によれば、複数のセンサのそれぞれに関する情報を容易に認識できる。
【図面の簡単な説明】
【０００９】
【図１】本実施例に係る制御システムの構成を示す図である。
【図２】図１の記憶部に記憶される状態テーブルのデータ構造を示す図である。
【図３】図３（ａ）−（ｃ）は、図１の表示部に表示される画面を示す図である。
【図４】図１の表示部に表示される別の画面を示す図である。
【図５】図５（ａ）−（ｃ）は、図１の表示部に表示される画面を示す図である。
【図６】図１の制御システムによる表示手順を示すフローチャートである。
【図７】図１の制御システムによる別の表示手順を示すフローチャートである。
【図８】図１の制御システムによるさらに別の表示手順を示すフローチャートである。
【発明を実施するための形態】
【００１０】
本開示の実施例を具体的に説明する前に、本実施例の概要を説明する。実施例は、住宅等の施設に設置された複数のセンサのそれぞれに関する情報を表示する制御システムに関する。複数のセンサは、例えば、火災警報器である。複数の火災警報器は、施設に設置された制御装置に接続され、火災を検知した場合に発報情報を制御装置に送信する。また、複数の火災警報器は、電池により駆動しており、電池残量も制御装置に送信する。制御装置は、ネットワークを介して施設外のサーバに接続され、発報情報および電池残量（以下、「情報」と総称する）をサーバに送信する。サーバには、スマートフォン等の情報端末装置からアクセス可能である。
【００１１】
情報端末装置あるいは制御装置は、表示装置であり、複数の情報のそれぞれを表示可能である。例えば、複数の情報の中に、しきい値よりも少ない電池残量が含まれている場合、しきい値よりも少ない電池残量を知らせるための通知が表示される。火災警報器の数が増加するほど、通知の表示数が増加するので、ユーザにとっては、しきい値よりも少ない電池残量の火災警報器を認識しにくくなる。情報が発報情報であっても同様である。
【００１２】
複数の火災警報器のそれぞれに関する情報を容易に認識するために、本実施例に係る表示装置は、複数の火災警報器を１以上のグループに分類する。また、表示装置は、各グループを代表する情報が示される領域（以下、「第２領域」という）と、各グループに含まれる２以上の火災警報器のそれぞれに関する情報が示される領域（以下、「第１領域」という）とを別の画面に表示する。グループに含まれる２以上の火災警報器の電池残量の中に、しきい値よりも少ない電池残量が含まれる場合、表示装置は、グループ中に、しきい値よりも少ない電池残量の火災警報器が存在することを知らせるための通知（以下、「第２通知」という）を第２領域に表示する。また、表示装置は、しきい値よりも少ない電池残量の火災警報器を個別に知らせるための通知（以下、「第１通知」という）を第１領域に表示する。
【００１３】
ユーザは、第２領域が含まれる画面の中に、第２通知を発見すると、グループ中に、しきい値よりも少ない電池残量の火災警報器が存在することを認識する。この段階において、ユーザは、どの火災警報器の電池残量がしきい値よりも少ないかを認識していない。そのため、ユーザは、当該グループに対する第１領域が含まれる画面において第１通知を見つけると、第１通知をもとに、しきい値よりも少ない電池残量の火災警報器を認識する。
【００１４】
図１は、制御システム１０００の構成を示す。制御システム１０００は、代表火災警報器２００と総称される第１代表火災警報器２００ａ、第２代表火災警報器２００ｂ、火災警報器２２０と総称される第１火災警報器２２０ａ、第２火災警報器２２０ｂ、第３火災警報器２２０ｃ、第４火災警報器２２０ｄ、制御装置３００、ルータ４００、ネットワーク４２０、サーバ４４０、携帯端末装置５００を含む。ここで、代表火災警報器２００の数は「２」とされ、火災警報器２２０の数は「４」とされるが、それらに限定されない。
【００１５】
代表火災警報器２００は、検知部２０２、制御部２０４、通信部２０６を含む。制御装置３００は、第１通信部３１０、第２通信部３１２、記憶部３１４、操作部３１６、表示部３１８、処理部３３０を含み、処理部３３０は、入力部３４０、表示制御部３４２を含む。携帯端末装置５００は、通信部５１０、記憶部５１４、操作部５１６、表示部５１８、処理部５３０を含み、処理部５３０は、入力部５４０、表示制御部５４２を含む。
【００１６】
代表火災警報器２００、火災警報器２２０、制御装置３００、ルータ４００は、施設１００に設置され、ネットワーク４２０、サーバ４４０は、施設１００の外部に設置される。施設１００は、制御システム１０００による制御の対象となる建物であり、例えば戸建て住宅である。施設１００は戸建て住宅に限定されず、集合住宅の住戸でもよいし、オフィスビル、商業施設などでもよい。施設１００の複数の部屋のそれぞれには、火災の発生を検知するためのセンサとして、代表火災警報器２００、火災警報器２２０が設置される。代表火災警報器２００と火災警報器２２０は、制御装置３００との間で無線通信を実行する。無線通信として、例えば、特定小電力無線が使用されるが、これに限定されず、さらに有線通信が実行されてもよい。
【００１７】
代表火災警報器２００と火災警報器２２０と制御装置３００との間における無線通信について、ここではさらに詳細に説明する。代表火災警報器２００と火災警報器２２０は、グループ２４０と総称される第１グループ２４０ａと第２グループ２４０ｂとに分類される。第１グループ２４０ａは、第１代表火災警報器２００ａ、第１火災警報器２２０ａ、第２火災警報器２２０ｂを含み、第２グループ２４０ｂは、第２代表火災警報器２００ｂ、第３火災警報器２２０ｃ、第４火災警報器２２０ｄを含む。つまり、１つのグループは、１つの代表火災警報器２００と、１つ以上の火災警報器２２０とを含む。
【００１８】
代表火災警報器２００は、９２６ＭＨｚ帯のような第１周波数帯を使用することによって、制御装置３００との間の無線通信を実行するとともに、４２６ＭＨｚ帯のような第２周波数帯を使用することによって、火災警報器２２０との間の無線通信も実行する。一方、火災警報器２２０は、４２６ＭＨｚ帯のような第２周波数帯を使用することによって、代表火災警報器２００との間の無線通信を実行するが、制御装置３００との間で無線通信を直接実行しない。ここで、火災警報器２２０は、代表火災警報器２００を介して制御装置３００との無線通信を実行する。そのため、代表火災警報器２００は、制御装置３００との無線通信を実行する機能に加えて、制御装置３００と火災警報器２２０との間の無線通信を中継する機能も有する。
【００１９】
代表火災警報器２００と火災警報器２２０との違いは中継機能の有無であり、これらの間で火災を検知する機能等は同一である。そのため、無線通信以外のことを説明する場合に、代表火災警報器２００を火災警報器２２０と呼ぶこともある。
【００２０】
代表火災警報器２００は、施設１００の部屋等における火災の発生を検知可能なセンサである。代表火災警報器２００の検知部２０２は、煙を検知したり、熱を検知したりすることによって、火災の発生を検知する。煙を検知する煙式の場合、代表火災警報器２００の内部に煙が入って、発光ダイオードの光が煙の粒子に反射して受光部に届くことによって、火災の発生が検知される。また、熱を検知する熱式の場合、感熱素子が一定の温度に達することによって、火災の発生が検知される。制御部２０４は、検知部２０２において火災の発生を検知した場合に、火災発生を知らせるための音声をスピーカ（図示せず）から出力するとともに、火災発生を知らせるための発報情報を通信部２０６から制御装置３００に第１周波数帯で送信させる。その際、通信部２０６は、発報情報を第２周波数帯で火災警報器２２０に送信してもよい。
【００２１】
また、検知部２０２は、代表火災警報器２００を駆動させる電池の残量を検知する。電池残量の検知には公知の技術が使用されればよいので、ここでは説明を省略する。電池残量は、例えば、８０％、５０％のように示される。制御部２０４は、検知部２０２において検知された電池残量が変化すると、電池残量を通信部２０６から制御装置３００に第１周波数帯で送信させる。ここで、電池残量の送信は、電池残量が変化する度ではなく、５％のような所定の量だけ変化した場合になされてもよい。
【００２２】
火災警報器２２０の構成は、代表火災警報器２００の構成と同様であるが、火災警報器２２０の通信部２０６（図示せず）は、発報情報と電池残量とを第２周波数帯で送信する。発報情報の宛先は、代表火災警報器２００であるが、他の火災警報器２２０を含んでもよい。また、電池残量の宛先は、代表火災警報器２００である。
【００２３】
代表火災警報器２００の通信部２０６は、中継処理として、火災警報器２２０からの第２周波数帯での発報情報と電池残量を受信すると、当該発報情報と当該電池残量を制御装置３００に第１周波数帯で送信する。さらに、代表火災警報器２００あるいは火災警報器２２０は、発報情報を受信すると、火災発生を知らせるための音声をスピーカ（図示せず）から出力してもよい。
【００２４】
制御装置３００の第１通信部３１０は、前述のごとく、例えば特定小電力無線に対応し、代表火災警報器２００から発報情報を受信する。発報情報には、送信元になる代表火災警報器２００あるいは火災警報器２２０を識別するための識別情報（以下、「センサ識別情報」という）が含まれる。第１通信部３１０は、発報情報を処理部３３０に出力する。第１通信部３１０は、代表火災警報器２００から電池残量を受信する。電池残量にもセンサ識別情報が含まれる。第１通信部３１０は、電池残量を処理部３３０に出力する。
【００２５】
処理部３３０は、受けつけた発報情報あるいは電池残量を記憶部３１４に記憶する。記憶部３１４は、発報情報および電池残量をセンサ識別情報毎に記憶する。これは、発報情報および電池残量をセンサ毎に記憶することに相当する。図２は、記憶部３１４に記憶される状態テーブルのデータ構造を示す。第１グループ２４０ａに第１代表火災警報器２００ａ、第１火災警報器２２０ａ、第２火災警報器２２０ｂが含まれることと、第２グループ２４０ｂに第２代表火災警報器２００ｂ、第３火災警報器２２０ｃ、第４火災警報器２２０ｄが含まれることは予め登録されている。代表火災警報器２００、火災警報器２２０に対して電池残量の値が示されるとともに、発報情報を受信した場合に発報情報に「発報中」が示される。日時情報は、発報がなされた日時を示す。日時情報は、代表火災警報器２００あるいは火災警報器２２０において生成され、発報情報に含まれる。図１に戻る。
【００２６】
処理部３３０は、代表火災警報器２００、火災警報器２２０のそれぞれに対して、接続を確認するための確認信号を第１通信部３１０から定期的に送信させる。代表火災警報器２００、火災警報器２２０は、確認信号を受信すると、確認信号に対する応答を示すための応答信号を制御装置３００に送信する。応答信号にもセンサ識別情報が含まれる。ここで、火災警報器２２０に対する確認信号の送信と応答信号の受信は、代表火災警報器２００を介してなされる。
【００２７】
制御装置３００の第１通信部３１０は、応答信号を受信すると、応答信号を処理部３３０に出力する。このような処理によって、処理部３３０は、確認信号に対する応答信号を受信した代表火災警報器２００あるいは火災警報器２２０との通信が可能であると判定する。一方、処理部３３０は、確認信号に対する応答信号を一定期間受信しない代表火災警報器２００あるいは火災警報器２２０との通信が不可能であると判定する。処理部３３０は、通信可能であるか通信不可能であるかを示す通信状態をセンサ識別情報毎に記憶する。図２に示される状態テーブルにおいて、代表火災警報器２００および火災警報器２２０に対する通信状態として「通信可能」あるいは「通信不可能」が示される。
【００２８】
以下では、代表火災警報器２００および火災警報器２２０に関する情報を表示する画面を、（１）携帯端末装置５００に表示される画面、（２）制御装置３００に表示される画面の順に説明する。本実施例では、これらの画面のうち、少なくとも１つの画面が表示されればよい。
【００２９】
（１）携帯端末装置５００に表示される画面
第２通信部３１２は、例えば、無線通信あるいは有線通信を実行し、ルータ４００、ネットワーク４２０を介してサーバ４４０に接続される。無線通信として、例えば、無線ＬＡＮ（Ｌｏｃａｌ  Ａｒｅａ  Ｎｅｔｗｏｒｋ）が使用されるが、これに限定されない。第２通信部３１２は、記憶部３１４に記憶した発報情報、電池残量、通信状態のいずれかが変化したタイミングにおいて、変化した情報をサーバ４４０に送信する。第２通信部３１２から送信される情報には、センサ識別情報に加えて、施設１００を識別するための施設識別情報も含まれる。サーバ４４０は、情報を受信すると、発報情報、電池残量、通信状態のいずれかを、施設識別情報毎およびセンサ識別情報毎に記憶する。このような処理によって、サーバ４４０の状態テーブルは記憶部３１４の状態テーブルに所定の期間遅延してから同期する。
【００３０】
携帯端末装置５００は、例えば、スマートフォン、タブレット端末装置、携帯電話装置であり、施設１００に居住するユーザによって使用される。携帯端末装置５００の通信部５１０は、無線通信を実行することによって、ネットワーク４２０を介してサーバ４４０に接続される。無線通信として、例えば、ＬＴＥ（Ｌｏｎｇ  Ｔｅｒｍ  Ｅｖｏｌｕｔｉｏｎ）等の携帯電話システムあるいは無線ＬＡＮが使用されるが、これに限定されない。記憶部５１４には、携帯端末装置５００において実行可能なプログラム、例えば、アプリケーションプログラムが記憶される。本実施例では、制御システム１０００における処理を実行可能なアプリケーションプログラム（以下、「制御システムアプリケーション」という）に着目する。
【００３１】
操作部５１６は、例えば、タッチパネルであり、ユーザによる操作入力を受付可能である。操作部２４４は、ユーザによる操作入力を受け付けると、操作入力に応じた操作信号を処理部５３０に出力する。表示部５１８は、表示制御部３４２において生成された画面を表示する。表示部５１８は、操作部５１６と一体的に構成されてもよく、ボタンが含まれた画面を表示部５１８が表示し、ユーザがボタンに触れることによる操作入力を操作部５１６が受けつける。
【００３２】
処理部５３０は、例えば、プロセッサおよびメモリを有するマイクロコンピュータで構成される。プロセッサが、記憶部５１４に記録されたプログラムを実行することにより、コンピュータシステムによって処理部５３０の各種の機能が実現される。本実施例における処理部５３０は、制御システムアプリケーションを実行する。処理部５３０は、通信部５１０、ネットワーク４２０を介してサーバ４４０に対して接続を要求するための信号（以下、「接続要求信号」という）を送信する。接続要求信号には、携帯端末装置５００を識別するための識別情報（以下、「端末識別情報」という）が含まれる。
【００３３】
サーバ４４０は、接続要求信号を受信すると、接続要求信号に含まれた端末識別情報をもとに認証処理を実行する。サーバ４４０は、認証処理が成功した場合、携帯端末装置５００との接続を許可し、ネットワーク４２０を介して携帯端末装置５００に許可信号を送信する。一方、サーバ４４０は、認証処理が失敗した場合、携帯端末装置５００との接続を拒否し、ネットワーク４２０を介して携帯端末装置５００に拒否信号を送信する。接続を許可した場合、サーバ４４０は、状態テーブルをネットワーク４２０を介して携帯端末装置５００に送信する。状態テーブルを送信した後、サーバ４４０は、状態テーブルに含まれる情報が更新されると、ネットワーク４２０を介して携帯端末装置５００に、更新された情報を逐次送信する。
【００３４】
携帯端末装置５００の通信部５１０は、ネットワーク４２０を介してサーバ４４０からの許可信号あるいは拒否信号を受信する。また、許可信号を受信した場合、通信部５１０は、サーバ４４０からの状態テーブルを受信するとともに、状態テーブルの後に更新された情報を逐次受信する。処理部５３０は、通信部５１０が拒否信号を受信した場合に処理を終了し、通信部５１０が許可信号を受信した場合に処理を続行する。処理を続行する場合、処理部５３０は、通信部５１０が受信した状態テーブルを記憶部５１４に記憶させる。それに続いて、処理部５３０は、通信部５１０が逐次受信した情報によって、記憶部５１４の状態テーブルを更新する。
【００３５】
処理部５３０の入力部５４０は、代表火災警報器２００、火災警報器２２０のそれぞれに関する情報を記憶部５１４から受けつける。情報は、例えば、電池残量、発報情報であり、発報情報には発報の日時情報が含まれる。入力部５４０における情報の受付は、記憶部５１４に記憶された情報が更新されるタイミングで逐次なされる。
【００３６】
表示制御部５４２は、入力部５４０において受けつけた情報を表示部５１８に表示するための画面を生成する。ここでは、表示制御部５４２において生成される画面を説明するために、図３（ａ）−（ｃ）を使用する。図３（ａ）−（ｃ）は、表示部５１８に表示される画面を示す。図３（ａ）は、各グループの代表情報が示される画面を示し、図３（ｂ）は、１つのグループの詳細情報が示される画面を示し、図３（ｃ）は、情報の履歴が示されるタイムラインの画面を示す。１つのグループの詳細情報を示すための領域を「第１領域６２６」と呼ぶ場合、各グループの代表情報を示すための領域は「第２領域６２８」と呼ばれるので、図３（ａ）は第２領域６２８を含む画面に相当し、図３（ｂ）は、第１領域６２６を含む画面に相当する。
【００３７】
図３（ａ）のように、表示制御部５４２は、第２領域６２８において、第１部分６２０と第２部分６２２とが同一の画面に含まれるように画面を生成する。具体的には、表示制御部５４２は、第１部分６２０、第２部分６２２を縦方向に並べた画面を生成する。第１部分６２０は、第１グループ２４０ａに関する情報を示すための部分であり、第２部分６２２は、第２グループ２４０ｂに関する情報を示すための部分である。表示制御部５４２は、第１部分６２０に第１グループ表示欄７１０を設け、第１グループ表示欄７１０に、第１代表火災警報器２００ａである「火災警報器１」の名称、第２発報中通知６４２、第２電池切れ通知６６２を示す。また、表示制御部５４２は、第２部分６２２に第２グループ表示欄７１２を設け、第２グループ表示欄７１２に、第２代表火災警報器２００ｂである「火災警報器２」の名称、第２発報中通知６４２、第２電池切れ通知６６２を示す。第２発報中通知６４２、第２電池切れ通知６６２等の第１グループ２４０ａの代表情報、第２グループ２４０ｂの代表情報の詳細は後述する。
【００３８】
第１部分６２０における「火災警報器１」の表示部分をユーザが触れるとによって、操作部５１６は、第１グループ２４０ａの詳細情報が示される画面への遷移の指示を受けつける。これに応じて、表示制御部５４２は、図３（ｂ）のように第１領域６２６において第１部分６２０が含まれる画面を生成する。表示制御部５４２は、第１部分６２０に第１代表火災警報器表示欄７００、第１火災警報器表示欄７０２、第２火災警報器表示欄７０４を設ける。第１代表火災警報器表示欄７００には、第１代表火災警報器２００ａである「火災警報器１」の名称が示され、第１火災警報器表示欄７０２には、第１火災警報器２２０ａである「リビング・火災警報器」の名称が示される。また、第２火災警報器表示欄７０４には、第２火災警報器２２０ｂである「ダイニング・火災警報器」の名称が示される。
【００３９】
第１グループ２４０ａの代表火災警報器２００、火災警報器２２０のうちの少なくとも１つから発報情報を受けつけている場合、表示制御部５４２は、１つ以上の発報情報のそれぞれに対して、第１発報中通知６４０を第１部分６２０に表示させる。第１発報中通知６４０は、発報情報を受けつけたことを知らせるための通知であり、例えば、「作動中」のメッセージである。ここでは、第１代表火災警報器２００ａと第１火災警報器２２０ａから発報情報を受けつけているので、第１代表火災警報器表示欄７００と第１火災警報器表示欄７０２に第１発報中通知６４０が示される。一方、第２火災警報器２２０ｂから発報情報を受けつけていないので、第２火災警報器表示欄７０４に第１発報中通知６４０が示されない。
【００４０】
表示制御部５４２は、電池残量と比較すべきしきい値、例えば、第１しきい値、第２しきい値（第１しきい値＞第２しきい値）を保持する。一例として、第１しきい値が「２０％」であり、第２しきい値が「１０％」である。表示制御部５４２は、電池残量が第１しきい値より少なく、かつ第２しきい値以上である場合、電池消耗と判定し、電池残量が第２しきい値より少ない場合、電池切れと判定する。表示制御部５４２は、電池消耗と判定した代表火災警報器２００、火災警報器２２０に対して、第１電池消耗通知（図示せず）を第１部分６２０に表示させ、電池切れと判定した代表火災警報器２００、火災警報器２２０に対して、第１電池切れ通知６６０を第１部分６２０に表示させる。第１電池消耗通知は、電池消耗を知らせるための通知であり、第１電池切れ通知６６０は、電池切れを知らせるための通知である。
【００４１】
ここでは、第１代表火災警報器２００ａと第２火災警報器２２０ｂの電池残量が第２しきい値よりも少ないので、第１代表火災警報器表示欄７００と第２火災警報器表示欄７０４に第１電池切れ通知６６０が示される。一方、第１火災警報器２２０ａの電池残量は第１しきい値以上であるので、第１火災警報器表示欄７０２に第１電池消耗通知あるいは第１電池切れ通知６６０が示されない。第１電池消耗通知と第１電池切れ通知６６０は「第１電池残量通知」と総称され、第１電池残量通知は、電池残量がしきい値よりも少ないことを知らせるための通知であるといえる。さらに、第１発報中通知６４０、第１電池残量通知は、所定の条件を満たすことを知らせるための第１通知であるといえる。
【００４２】
図３（ａ）の第２部分６２２における「火災警報器２」の表示部分をユーザが触れることによって、操作部５１６は、第２グループ２４０ｂの詳細情報が示される画面への遷移の指示を受けつける。この画面の図示は省略するが、表示制御部５４２は、図３（ｂ）と同様の画面を生成する。その画面では、第１領域６２６において第２部分６２２が含まれ、表示制御部５４２は、第２部分６２２に第２代表火災警報器表示欄、第３火災警報器表示欄、第４火災警報器表示欄を設ける。第２代表火災警報器表示欄には、第２代表火災警報器２００ｂである「火災警報器２」の名称が示され、第３火災警報器表示欄には、第３火災警報器２２０ｃに対する名称が示され、第４火災警報器表示欄には、第４代表火災警報器２００ｄに対する名称が示される。さらに、第１発報中通知６４０、第１電池切れ通知６６０等もこれまでと同様に示される。ここでも、第１発報中通知６４０、第１電池残量通知は、所定の条件を満たすことを知らせるための第１通知であるといえる。
【００４３】
このように、第１領域６２６の第１部分６２０と、第１領域６２６の第２部分６２２と、第２領域６２８は、互いに異なった画面に含まれる。また、第２領域６２８が含まれた画面から、第１領域６２６の第１部分６２０が含まれた画面に遷移可能であるとともに、第１領域６２６の第２部分６２２が含まれた画面にも遷移可能である。
【００４４】
図３（ａ）に戻り、第１グループ２４０ａの代表情報の詳細を説明する。表示制御部５４２は、図３（ｂ）に示される第１領域６２６の第１部分６２０に１つ以上の第１発報中通知６４０を示す場合、第１グループ表示欄７１０に第２発報中通知６４２を表示させる。第２発報中通知６４２は、１つ以上の発報情報の存在を知らせるための通知であり、例えば、「作動中」のメッセージである。一方、表示制御部５４２は、図３（ｂ）に示される第１領域６２６の第１部分６２０に第１発報中通知６４０を示さない場合、第１グループ表示欄７１０に第２発報中通知６４２を表示させない。ここでは、第１領域６２６の第１部分６２０における第１代表火災警報器表示欄７００と第１火災警報器表示欄７０２に第１発報中通知６４０が示されるので、第１グループ表示欄７１０に第２発報中通知６４２が示される。
【００４５】
表示制御部５４２は、図３（ｂ）に示される第１領域６２６の第１部分６２０に１つ以上の第１電池残量通知を示す場合、１つ以上の電池残量通知の存在を知らせるための第２電池残量通知を第１グループ表示欄７１０に表示させる。第１領域６２６の第１部分６２０に第１電池消耗通知だけが示される場合、第１グループ表示欄７１０には第２電池消耗通知が示され、第１領域６２６の第１部分６２０に第１電池切れ通知６６０だけが示される場合、第１グループ表示欄７１０には第２電池切れ通知６６２が示される。つまり、第１領域６２６の第１部分６２０に示される第１電池残量通知と、第１グループ表示欄７１０に示される第２電池残量通知は同一である。
【００４６】
仮に、第１領域６２６の第１部分６２０に第１電池消耗通知と第１電池切れ通知６６０が示される場合、第１グループ表示欄７１０には、第２電池切れ通知６６２が示される。一方、表示制御部５４２は、第１領域６２６の第１部分６２０に１つ以上の第１電池残量通知を示さない場合、第２電池残量通知を第１グループ表示欄７１０に表示させない。ここでは、第１領域６２６の第１部分６２０における第１代表火災警報器表示欄７００と第２火災警報器表示欄７０４に第１電池切れ通知６６０が示されるので、第１グループ表示欄７１０に第２電池切れ通知６６２が示される。第１グループ表示欄７１０に表示可能な第２発報中通知６４２、第２電池残量通知は、第１グループ２４０ａの代表情報である。
【００４７】
第２グループ２４０ｂの代表情報は、第２グループ表示欄７１２に示されるが、第１グループ２４０ａの代表情報と同様であるので、ここでは説明を省略する。また、第２発報中通知６４２、第２電池残量通知は、所定の条件を満たす情報の存在を知らせるための第２通知であるといえる。
【００４８】
図３（ｃ）は、表示制御部５４２において生成されるタイムラインの画面を示す。タイムラインの画面には、各グループの代表情報が示される画面、あるいは１つのグループの詳細情報が示される画面から遷移可能であってもよい。表示制御部５４２は、情報の履歴、例えば、代表火災警報器２００あるいは火災警報器２２０を電池消耗あるいは電池切れと判定した場合に、そのように判定した代表火災警報器２００あるいは火災警報器２２０の履歴を表示させる。また、表示制御部５４２は、代表火災警報器２００あるいは火災警報器２２０から発報情報を受けつけた場合に、発報情報を受けつけた代表火災警報器２００あるいは火災警報器２２０の履歴を表示させる。図１に戻る。
【００４９】
表示制御部５４２は、通信状態が通信不可能であるかを確認してもよい。通信不可能な火災警報器２２０あるいは代表火災警報器２００に対して、表示制御部５４２は、第１通信不可能通知を第１領域６２６の第１部分６２０あるいは第２部分６２２に表示させる。
第１通信不可能通知は、火災警報器２２０あるいは代表火災警報器２００が通信不可能であることを知らせるための通知である。また、表示制御部５４２は、第１領域６２６の第１部分６２０に１つ以上の第１通信不可能通知を示す場合、１つ以上の第１通信不可能通知の存在を知らせるための第２通信不可能通知を第２領域６２８の第１部分６２０に表示させてもよい。また、表示制御部５４２は、第１領域６２６の第２部分６２２に１つ以上の第１通信不可能通知を示す場合、第２通信不可能通知を第２領域６２８の第２部分６２２に表示させてもよい。第１領域６２６の第２部分６２２における第１通信不可能通知と、第２領域６２８の第２部分６２２における第２通信不可能通知は、これまでと同様であるので、ここでは説明を省略する。
【００５０】
前述のごとく、代表火災警報器２００は、制御装置３００と直接通信するが、火災警報器２２０は、代表火災警報器２００を介して制御装置３００と通信する。そのため、代表火災警報器２００における通信が不可能になる場合、当該代表火災警報器２００に接続される火災警報器２２０の通信も不可能になる。一方、火災警報器２２０の通信が不可能である場合でも、他の火災警報器２２０、代表火災警報器２００は影響を及ぼされない。つまり、火災警報器２２０が通信不可能になる影響よりも、代表火災警報器２００が通信不可能になる影響の方が大きい。そのため、表示制御部５４２は、代表火災警報器２００が通信不可能になった場合、第１通信不可能通知および第２通信不可能通知の表示に加えて、あるいはこれらの表示とは別に、代表火災警報器２００との通信が不可能であることを表示部５１８に表示してもよい。
【００５１】
図４は、表示部５１８に表示される別の画面を示す。ここでは、第１代表火災警報器２００ａが通信不可能である場合に、表示制御部５４２は、「火災警報器１がオフラインになりました」とのメッセージを表示する。ユーザは、このメッセージを見ることによって、第１グループ２４０ａに含まれる代表火災警報器２００と火災警報器２２０との通信が不可能であることを認識可能である。また、第２代表火災警報器２００ｂが通信不可能である場合も同様のメッセージが表示される。図１に戻る。
【００５２】
（２）制御装置３００に表示される画面
これまでは、各種センサの情報を示す画面を携帯端末装置５００の表示部５１８に表示させる場合を説明した。このような画面は、制御装置３００の表示部３１８に表示されてもよい。表示部５１８に表示される画面として、横方向よりも縦方向に長い画面を想定していたが、ここでは、表示部３１８に表示される画面として、縦方向よりも横方向に長い画面を想定する。
【００５３】
入力部３４０は、入力部５４０と同様の処理を実行する。表示制御部３４２は、入力部３４０において受けつけた情報を表示部３１８に表示するための画面を生成する。ここでは、表示制御部３４２において生成される画面を説明するために、図５（ａ）−（ｃ）を使用する。図５（ａ）−（ｃ）は、表示部３１８に表示される画面を示す。図５（ａ）は、各グループの代表情報が示される画面を示し、図５（ｂ）は、１つのグループの詳細情報が示される画面を示し、図５（ｃ）は、情報の履歴が示されるタイムラインの画面を示す。つまり、図５（ａ）−（ｃ）は、図３（ａ）−（ｃ）にそれぞれ対応しており、図５（ａ）は第２領域６２８を含む画面に相当し、図５（ｂ）は、第１領域６２６を含む画面に相当する。
【００５４】
図５（ａ）のように、表示制御部３４２は、第２領域６２８において、第１部分６２０と第２部分６２２とが同一の画面に含まれるように画面を生成する。具体的には、表示制御部５４２は、第１部分６２０、第２部分６２２を横方向に並べた画面を生成する。第１部分６２０に第１グループ表示欄７１０を設け、かつ第２部分６２２に第２グループ表示欄７１２を設けることと、第１グループ表示欄７１０と第２グループ表示欄７１２における表示の内容は、図３（ａ）と同様であるので、ここでは説明を省略する。
【００５５】
図５（ｂ）のように、表示制御部３４２は、第１領域６２６において第１部分６２０が含まれる画面を生成する。第１部分６２０に第１代表火災警報器表示欄７００、第１火災警報器表示欄７０２、第２火災警報器表示欄７０４を設けることと、第１代表火災警報器表示欄７００、第１火災警報器表示欄７０２、第２火災警報器表示欄７０４における表示の内容は、図３（ｂ）と同様であるので、ここでは説明を省略する。図５（ｃ）のように、表示制御部３４２は、履歴の画面を生成する。履歴の画面には、各グループの代表情報が示される画面、あるいは１つのグループの詳細情報が示される画面から遷移可能であってもよい。履歴の画面における表示の内容は、図３（ｃ）と同様であるので、ここでは説明を省略する。
【００５６】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００５７】
以上の構成による制御システム１０００の動作を説明する。図６は、制御システム１０００による表示手順を示すフローチャートである。これは、電池残量に対する処理を示す。入力部３４０あるいは入力部５４０は、１つのグループ２４０に含まれる各代表火災警報器２００、火災警報器２２０の電池残量を受けつける（Ｓ１０）。しきい値より少ない電池残量がある場合（Ｓ１２のＹ）、表示制御部３４２あるいは表示制御部５４２は、１つの通知を第２領域６２８に表示する（Ｓ１４）。画面の遷移があれば（Ｓ１６のＹ）、表示制御部３４２あるいは表示制御部５４２は、該当する代表火災警報器２００、火災警報器２２０のそれぞれに対して通知を第１領域６２６に表示する（Ｓ１８）。画面の遷移がなければ（Ｓ１６のＮ）、ステップ１８はスキップされる。しきい値より少ない電池残量がない場合（Ｓ１２のＮ）、処理は終了される。
【００５８】
図７は、制御システム１０００による別の表示手順を示すフローチャートである。入力部３４０あるいは入力部５４０は、発報情報を受けつければ（Ｓ５０のＹ）、表示制御部３４２あるいは表示制御部５４２は、１つの通知を第２領域６２８に表示する（Ｓ５２）。画面の遷移があれば（Ｓ５４のＹ）、表示制御部３４２あるいは表示制御部５４２は、該当する代表火災警報器２００、火災警報器２２０のそれぞれに対して通知を第１領域６２６に表示する（Ｓ５６）。画面の遷移がなければ（Ｓ５４のＮ）、ステップ５６はスキップされる。発報情報を受けつけなければ（Ｓ５０のＮ）、処理は終了される。
【００５９】
図８は、制御システム１０００によるさらに別の表示手順を示すフローチャートである。代表火災警報器２００が通信不可能である場合（Ｓ１００のＹ）、表示制御部３４２あるいは表示制御部５４２は、オフラインを表示部３１８あるいは表示部５１８に表示する（Ｓ１０２）。代表火災警報器２００が通信不可能でない場合（Ｓ１００のＮ）、ステップ１０２はスキップされる。
【００６０】
本実施例によれば、１つ以上の情報のそれぞれに対して、所定の条件を満たすことを知らせるための通知を第１領域６２６に表示させるとともに、所定の条件を満たす情報の存在を知らせるための通知を第２領域６２８に表示させるので、複数のセンサのそれぞれに関する情報を容易に認識させることができる。また、１つ以上の電池残量のそれぞれに対して、第１電池残量通知を第１領域６２６に表示させるとともに、第２電池残量通知を第２領域６２８に表示させるので、電池残量がしきい値より少ないことを容易に認識させることができる。また、１つ以上の発報情報のそれぞれに対して、第１発報中通知６４０を第１領域６２６に表示させるとともに、第２発報中通知６４２を第２領域６２８に表示させるので、発報情報を受けつけていることを容易に認識させることができる。また、発報情報は、発報の日時情報が含まれるので、発報の原因を特定しやすくできる。
【００６１】
また、火災警報器２２０と代表火災警報器２００を複数のグループ２４０に分類し、各グループ２４０に対する第１通知と第２通知とを表示するので、各グループ２４０の情報の受付状況を容易に認識させることができる。また、第２領域６２８の第１部分６２０と、第２領域６２８の第２部分６２２を同一の画面に含めるので、第１グループ２４０ａの代表情報と第２グループ２４０ｂの代表情報との一覧性を向上できる。
【００６２】
また、第１領域６２６の第１部分６２０と、第１領域６２６の第２部分６２２と、第２領域６２８とは互いに異なった画面に含まれるので、情報を分けることによってわかりやすくできる。また、第２領域６２８が含まれた画面から、第１領域６２６の第１部分６２０が含まれた画面に遷移可能であるので、情報の関連性を容易に認識させることができる。また、第２領域６２８が含まれた画面から、第１領域６２６の第１部分６２０が含まれた画面に遷移可能であるので、第１代表火災警報器２００ａと他の火災警報器２２０の接続関係を容易に認識させることができる。
【００６３】
また、第２領域６２８が含まれた画面から、第１領域６２６の第２部分６２２が含まれた画面に遷移可能であるので、情報の関連性を容易に認識させることができる。また、第２領域６２８が含まれた画面から、第１領域６２６の第２部分６２２が含まれた画面に遷移可能であるので、第２代表火災警報器２００ｂと他の火災警報器２２０の接続関係を容易に認識させることができる。また、代表火災警報器２００との通信が不可能である場合に通信不可能であることを表示するので、火災警報器２２０に及ぼす影響を抑制できる。
【００６４】
本開示の一態様の概要は、次の通りである。本開示のある態様の表示装置（３００、５００）は、施設（１００）に複数のセンサが設置されており、複数のセンサのそれぞれに関する情報を受けつける入力部（３４０、５４０）と、入力部（３４０、５４０）において受けつけた複数の情報のうち、１つ以上の情報が所定の条件を満たす場合に、１つ以上の情報のそれぞれに対して、所定の条件を満たすことを知らせるための第１通知を表示部（３１８、５１８）の第１領域に表示させるとともに、所定の条件を満たす情報の存在を知らせるための第２通知を表示部（３１８、５１８）の第２領域であって、かつ第１領域とは異なった第２領域に表示させる表示制御部（３４２、５４２）と、を備える。
【００６５】
入力部（３４０、５４０）は、情報として、複数のセンサのそれぞれにおける電池残量を受けつけ、表示制御部（３４２、５４２）は、１つ以上の電池残量がしきい値よりも少ない場合に、１つ以上の電池残量のそれぞれに対して、電池残量がしきい値よりも少ないことを知らせるための第１通知を第１領域に表示させるとともに、しきい値よりも少ない電池残量の存在を知らせるための第２通知を第２領域に表示させる。
【００６６】
入力部（３４０、５４０）は、情報として、複数のセンサのそれぞれにおける発報情報を受けつけ、表示制御部（３４２、５４２）は、１つ以上の発報情報を受けつけた場合に、１つ以上の発報情報のそれぞれに対して、発報情報を受けつけたことを知らせるための第１通知を第１領域に表示させるとともに、発報情報の存在を知らせるための第２通知を第２領域に表示させる。
【００６７】
入力部（３４０、５４０）において受けつけられる発報情報は、発報の日時情報を含む。
【００６８】
複数のセンサのうちの一部は第１グループに含まれ、複数のセンサのうちの別の一部は第２グループに含まれ、表示制御部（３４２、５４２）は、第１グループの複数の情報のうち、１つ以上の情報が所定の条件を満たす場合に、１つ以上の情報のそれぞれに対して、第１通知を第１領域の第１部分に表示させるとともに、第２通知を第２領域の第１部分に表示させ、表示制御部（３４２、５４２）は、第２グループの複数の情報のうち、１つ以上の情報が所定の条件を満たす場合に、１つ以上の情報のそれぞれに対して、第１通知を第１領域の第２部分に表示させるとともに、第２通知を第２領域の第２部分に表示させる。
【００６９】
第２領域の第１部分と、第２領域の第２部分は、同一の画面に含まれ、第１領域の第１部分と、第１領域の第２部分と、第２領域は、互いに異なった画面に含まれ、第２領域の第１部分が含まれた画面から、第１領域の第１部分が含まれた画面に遷移可能であり、第２領域の第２部分が含まれた画面から、第１領域の第２部分が含まれた画面に遷移可能である。
【００７０】
第１グループに含まれる一部のセンサのうちの１つが第１代表のセンサであり、第１グループに含まれる一部のセンサのうちの残りは、第１代表のセンサを介して本表示装置（３００、５００）と通信し、第２グループに含まれる一部のセンサのうちの１つが第２代表のセンサであり、第２グループに含まれる一部のセンサのうちの残りは、第２代表のセンサを介して本表示装置（３００、５００）と通信し、表示制御部（３４２、５４２）は、第１代表のセンサとの通信が不可能である場合に、通信が不可能であることを表示部（３１８、５１８）に表示させ、表示制御部（３４２、５４２）は、第２代表のセンサとの通信が不可能である場合に、通信が不可能であることを表示部（３１８、５１８）に表示させる。
【００７１】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００７２】
本実施例において、センサが代表火災警報器２００、火災警報器２２０であるとしている。しかしながらこれに限らず例えば、センサはガス警報器等であってもよく、異なった種類の警報器が混在してもよい。本変形例によれば、構成の自由度を向上できる。
【符号の説明】
【００７３】
１００  施設、  ２００  代表火災警報器、  ２０２  検知部、  ２０４  制御部、  ２０６  通信部、  ２２０  火災警報器、  ２４０  グループ、  ３００  制御装置、  ３１０  第１通信部、  ３１２  第２通信部、  ３１４  記憶部、  ３１６  操作部、  ３１８  表示部、  ３３０  処理部、  ３４０  入力部、  ３４２  表示制御部、  ４００  ルータ、  ４２０  ネットワーク、  ４４０  サーバ、  ５００  携帯端末装置、  ５１０  通信部、  ５１４  記憶部、  ５１６  操作部、  ５１８  表示部、  ５３０  処理部、  ５４０  入力部、  ５４２  表示制御部、  １０００  制御システム。
【図１】
2020201594.tif 000003
【図２】
2020201594.tif 000004
【図３】
2020201594.tif 000005
【図４】
2020201594.tif 000006
【図５】
2020201594.tif 000007
【図６】
2020201594.tif 000008
【図７】
2020201594.tif 000009
【図８】
2020201594.tif 000010